(57)【特許請求の範囲】
【請求項１】
ケース本体の外箱と内箱との間に画成した冷気循環ダクトを通じてケース本体の前面に冷気エアカーテンを吹き出し形成する冷気吹出口の前後壁の間に空気整流体を保持する冷気循環式のオープンショーケースにおいて、略コ字状に折り曲げてハニカム整流体を上下から挟む保持部材と、前記冷気吹出口の前壁を構成する鋼板製のキャノピ部と外箱とが直接接しないように保持するとともに、前記保持部材を保持する樹脂製の係止部材を備えたことを特徴とするオープンショーケース。
【請求項２】
請求項１記載のオープンショーケースにおいて、前記係止部材は、上部係止部と下部係止部を備え、前記上部係止部にて外箱を構成する鋼板製の天井パネル前面壁を保持し、前記下部係止部にて鋼板製のキャノピ部を保持することを特徴とするオープンショーケース。
【請求項３】
請求項２記載のオープンショーケースにおいて、前記下部係止部は、下向きに溝部を形成し、前記キャノピ部の上部に折り曲げられた先端部を挟み込んで保持することを特徴とするオープンショーケース。
【請求項４】
請求項１ないし３のいずれかの項に記載のオープンショーケースにおいて、前記係止部材は、略コ字状に折り曲げてハニカム整流体を上下から挟むとともに凸部を有するワイヤからなる保持部材の凸部に対向する位置に凹部と、前記保持部材のコ字状端面を載置するための載置部とを形成することを特徴とするオープンショーケース。
【発明の詳細な説明】
【技術分野】
【０００１】
本発明は、冷気循環式のオープンショーケースに関し、庫内前面に向けて冷気エアカーテンを吹き出し形成するエアカーテン吹出口に設けられるハニカム整流体の取り付け構造に係わる。
【背景技術】
【０００２】
まず、頭記の冷気循環式オープンショーケースとして、二層エアカーテン方式の多段形オープンショーケースの構成を図３に示す。
【０００３】
図３において、１は断熱筐体になるオープンショーケースのケース本体であり、前面開放形の鋼板製の外箱１ａと内箱１ｂとの間には、内箱１ｂの外周に内外二重の冷気循環ダクト２，３が画成されており、この冷気循環ダクト２，３に連ねてケース本体１のフロント上部側にはエアカーテン吹出口２ａ，３ａが、下部側にはエアカーテン吸込口２ｂ，３ｂが開口している。また、内層の冷気循環ダクト（インナーダクト）２には冷却器４およびファン５が、外層の冷気循環ダクト（アウターダクト）３にはファン６が設けられている。
【０００４】
また、前記のエアカーテン吹出口２ａ，３ａにはハニカム整流体７を設け、保冷運転時にはハニカム整流体７を通じて庫内前面に内外二層の冷気エアカーテンを吹き出し形成して庫内に保冷する。なお、８は商品陳列棚、９はケース本体１の上部前面に設けたキャノピ部であり、商品陳列棚８下面、キャノピ部９、内箱１ｂの天井部分には、それぞれ照明灯１０が設けられている。
【０００５】
かかる構成になるオープンショーケースの保冷運転時には、インナーダクト２，アウターダクト３に冷気が循環送風され、エアカーテン吹出口２ａ，３ａのハニカム整流体７を通じてケース本体１の前面開口部に内外二層の冷気エアカーテンを吹出形成し、庫内の商品陳列棚８に陳列した商品を保冷する。
【０００６】
このハニカム整流体７の取付状態の一例を図４に示す。
【０００７】
ハニカム整流体７は、エアカーテン吹出口２ａ，３ａに設けられるが、図４に示すハニカム整流体７の取付例は、アウターダクト３のエアカーテン吹出口３ａに設けた例を示すもので、外箱１ａの天井パネル前面壁１１と仕切板１２との間にハニカム整流体７が設けられ、仕切板１２が設けられている側とは反対側のハニカム整流体７の端面に略コ字状に折り曲げてハニカム整流体を上下から挟むとともに凸部１３ａおよび下端に取っ手１３ｂを有するワイヤからなる保持部材１３を取り付け、保持部材１３の凸部１３ａに対応する天井パネル前面壁１１の壁に凹部１１ａを設け、凹凸部を嵌め合わせることによりハニカム整流体７をエアカーテン吹出口３ａに保持させるものである（例えば、特許文献１参照）。
【０００８】
なお、この天井パネル前面壁１１と外箱１ａを覆うようにキャノピ部９が形成され、このキャノピ部９の内部には、キャノピ部９の結露防止のためにヒータＨが介挿されている。
【先行技術文献】
【特許文献】
【０００９】
【特許文献１】特開平１１−２６４６４６号公報
【発明の概要】
【発明が解決しようとする課題】
【００１０】
ところで、図４に示した従来構造では、外箱１ａは、断熱材を内部に有し、外側は鋼板により覆われている。この外箱１ａの天井パネル前面壁１１を形成する庫内側の壁およびキャノピ部９はともに鋼板製であり、お互いの端面を内側に折り曲げて突き合わせた状態で取り付けられており、その付き合わせ部分Ｐにおいて、庫内外の熱伝導が発生し易く、また、ハニカム整流体７の取付状態によっては、天井パネル前面壁１１が前方向に押されるため、外箱１ａの天井パネル前面壁１１を形成する庫内側の壁とキャノピ部９との突き合わせ部分に隙間が出来易くなるので、ヒータＨをオンしても、結露が発生し易いという問題があった。
【００１１】
また、ハニカム整流体７の保持部材１３は、天井パネル前面壁１１の凹部１１ａと仕切板１２との間に保持されているだけのため、脱落し易いという問題があった。
【００１２】
本発明は上記問題を解決するためになされたものであり、エアカーテン吹出口において、結露が発生し難く、しかも、ハニカム整流体を確実に保持できるようにしたオープンショーケースを提供することを目的とするものである。
【課題を解決するための手段】
【００１３】
上記目的を達成するために、この発明によれば、ケース本体の外箱と内箱との間に画成した冷気循環ダクトを通じてケース本体の前面に冷気エアカーテンを吹き出し形成する冷気吹出口の前後壁の間に空気整流体を保持する冷気循環式のオープンショーケースにおいて、略コ字状に折り曲げてハニカム整流体を上下から挟む保持部材と、前記冷気吹出口の前壁を構成する鋼板製のキャノピ部と外箱とが直接接しないように保持するとともに、前記保持部材を保持する樹脂製の係止部材を備えたことを特徴とする。
【００１４】
前記係止部材は、上部係止部と下部係止部を備え、前記上部係止部にて外箱を構成する鋼板製の天井パネル前面壁を保持し、前記下部係止部にて鋼板製のキャノピ部を保持することを特徴とする。
【００１５】
前記下部係止部は、下向きに溝部を形成し、前記キャノピ部の上部に折り曲げられた先端部を挟み込んで保持することを特徴とする。
【００１６】
前記係止部材は、略コ字状に折り曲げてハニカム整流体を上下から挟むとともに凸部を有する保持部材の凸部に対向する位置に凹部と、前記保持部材のコ字状端面を載置するための載置部とを形成することを特徴とする。
【発明の効果】
【００１７】
本発明によれば、外箱を形成する天井パネル前面壁とキャノピ部とを樹脂製の係止部材で保持するとともに、この係止部材にてハニカム整流体を保持するようにしたので、熱伝導および隙間などによるエアカーテン吹出口の結露防止が図れる。
【００１８】
また、前記係止部材に略コ字状に折り曲げてハニカム整流体を上下から挟むとともに凸部を有する保持部材の凸部に対向する位置に凹部を形成するとともに、前記保持部材のコ字状端面を下から支える載置部を形成することにより、ハニカム整流体の脱落を確実に防止できる。
【図面の簡単な説明】
【００１９】
【図１】本発明の実施例によるエアカーテン吹出口の構成断面図
【図２】図１における拡大断面図
【図３】冷気循環形オープンショーケースの概要構成図
【図４】従来におけるオープンショーケースのエアカーテン吹出口の構成断面図
【発明を実施するための形態】
【００２０】
以下、本発明の実施の形態を図１，図２に基づいて説明する。なお、図中で図３，図４に対応する部材には同じ符号を付してその説明は省略する。
【００２１】
図１，図２において、キャノピ部９と天井パネル前面壁１１との係止部材とハニカム整流体７の保持部材１３を保持するための係止部材とを兼用する樹脂製の係止部材２１を設けたものである。
【００２２】
この係止部材２１は、上方域に鋼板にて構成される天井パネル前面壁１１の前方へ階段状に折り曲げられた端面の上辺１１ｃと垂直辺１１ｂとを上下方向並びに前後方向から挟み込むように保持するために二辺に分かれた上部係止部２１ａ、この上部係止部２１ａの下方域に保持部材１３の凸部１３ａに対応する位置に設けられる凹部２１ｂ、この凹部２１ｂの下方域にハニカム整流体を保持するとともに鋼板にて構成されるキャノピ部９の上方に折り曲げられた下端縁９ａを挟み込むように保持するために設けられた下部係止部２１ｃからなる。
【００２３】
この係止部材２１の上部係止部２１ａの一辺は、先端を後方に折り曲げてなる突出部２２ａと突出部２２ａから下方へ延びる垂直辺２２ｂからなる。
【００２４】
この突出部２２ａにて天井パネル前面壁１１の上辺１１ｃを上部から押さえ、上辺１１ｃから下方に延びる垂直辺１１ｂを上部係止部２１ａの垂直辺２２ｂにより前方から押さえ込むように構成されている。
【００２５】
一方、係止部材２１の上部係止部２１ａの他辺は、天井パネル前面壁１１の前方へ階段状に折り曲げられた端面の裏面側に沿うように設けられ、先端を前方に折り曲げてなる突出部２３ａとこの突出部２３ａから上方へ延びる略垂直辺２３ｂと後方に延びる上辺２３ｃからなる。
【００２６】
この上部係止部２１ａの突出部２３ａと垂直辺２２ｂとの間に天井パネル前面壁１１の垂直辺１１ｂを挟み込みで固定し、また、上辺２３ｃと突出部２２ａとの間に天井パネル前面壁１１の上辺１１ｃを挟み込んで固定する。
【００２７】
次に、係止部材２１の下部係止部２１ｃは、ハニカム整流体７の保持部材１３のコ字状端面１３ｃを下側から保持するために設けられた載置部２４ａ、キャノピ部９の上方に折り曲げられた下端縁９ａを挟み込むように設けられた下向きに開放する溝部２４ｂとからなる。
【００２８】
次に、溝部２４ｂを構成する一辺は、先端を前方に折り曲げてなる突出部２４ｃが設けられており、この突出部２４ｃと溝部２４ｂの他辺との間にキャノピ部９の下端縁９ａを隙間なく挟み込んで固定する。
【００２９】
このように、係止部材２１の上部係止部２１ａ、下部係止部２１ｃにてキャノピ部９と天井パネル前面壁１１とを保持するものである。
【００３０】
次に、ハニカム整流体７の保持については、係止部材２１の凹部２１ｂとハニカム整流７体の保持部材１３の凸部１３ａと合わせ、かつ、ハニカム整流体７の保持部材１３のコ字状端面１３ｃを係止部材２１の載置部２４ａに載せて位置決めを行う。
【００３１】
また、ハニカム整流体７の後方域は、吹出口を内外に二分する仕切板１２に押圧されている。この仕切板１２を庫内側のパネル３１に取り付けるには、例えば、台円形状に膨出したネジ穴付きのエンボス１２ａ，１２ｂの端面同士を前後に突き合わせた上で、両者間を固定ネジ１２ｃにより締結して仕切板１２を内箱に固定支持する。
【００３２】
このように、係止部材２１と仕切板１２との間にハニカム整流体７を保持することで、凹凸部に加え、係止部材２１の載置部２４ａで下側から支えることになり、従来に比べて確実に脱落防止が図れ、また、係止部材２１を樹脂製にて形成して、天井パネル前面壁１１とキャノピ部９とを保持することで、鋼板同士が接しないため、熱伝導および隙間などによるエアカーテン吹出口の結露防止が図れる。さらに、ハニカム整流体７にて前方へ押されたとしても係止部材２１の溝部２４ｂにてキャノピ部を挟み込んでいるため、隙間は生じない。
【符号の説明】
【００３３】
１      ケース本体
１ａ    外箱
１ｂ    内箱
２ａ，３ａ  エアカーテン吹出口
７      ハニカム整流体
９      キャノピ部
１１  天井パネル前面壁
１２    仕切板
１３    保持部材
１３ａ  凸部
１３ｃ  端面
２１    係止部材
２１ａ  上部係止部
２１ｂ  凹部
２１ｃ  下部係止部
２４ａ  載置部
２４ｂ  溝部
２５    突出部
【図１】
0005633684.tif 000002
【図２】
0005633684.tif 000003
【図３】
0005633684.tif 000004
【図４】
0005633684.tif 000005